(57)【要約】  【課題】  別部品を設けることなくアイドラ機構を直接ピックアップレバーで制御する熱転写プリンタを提供することである。  【解決手段】  ピックアップアイドラアーム３０に一体成形の突起３０ａを設け、ピックアップレバー１１の一部をＬ字型に切り起こして形成した係止部１１ａを設け、係止部１１ａが突起３０ａを係止している状態では第１のピックアップアイドラギヤ２９ａがピックアップローラギヤ３１に噛合し、係止部１１ａが突起３０ａを係止していない状態で第２のピックアップギヤ２８が所定方向に回転すると、第２のピックアップアイドラギヤ２９ｂが第３のピックアップギヤ３２に噛合する構成とする。【選択図】      図１
2005314043.tif 000002
【特許請求の範囲】
【請求項１】
用紙トレーを上下動させる板金製のピックアップレバーと、ピックアップローラギヤと
、該ピックアップローラギヤに噛合する第３のピックアップギヤ及びイジェクトローラギ
ヤと、揺動中心軸を中心として前記ピックアップローラギヤ側又は前記第３のピックアッ
プギヤ側に揺動可能なＬ字型のピックアップアイドラアームと、該ピックアップアイドラ
アームの一端に配置され、前記ピックアップローラギヤに噛合可能な第１のピックアップ
アイドラギヤと、前記ピックアップアイドラアームの他端に配置され、前記第３のピック
アップギヤに噛合可能な第２のピックアップアイドラギヤと、前記揺動中心軸を中心とし
て回転可能であって、前記第１及び第２のピックアップアイドラギヤを駆動する第２のピ
ックアップギヤと、前記ピックアップローラギヤに同軸に固定された給紙ローラと、前記
イジェクトローラギヤに同軸に固定された排紙ローラとを備えた熱転写プリンタにおいて
、
前記ピックアップアイドラアームに一体成形の突起を設け、前記ピックアップレバーの
一部をＬ字型に切り起こして形成した係止部を設け、
前記係止部が前記突起を係止している状態では前記第１のピックアップアイドラギヤが
前記ピックアップローラギヤに噛合し、
前記係止部が前記突起を係止していない状態で前記第２のピックアップギヤが所定方向
に回転すると、前記第２のピックアップアイドラギヤが前記第３のピックアップギヤに噛
合することを特徴とする熱転写プリンタ。
【請求項２】
用紙トレーを上下動させるピックアップレバーと、第１の従動ギヤと、該第１の従動ギ
ヤに噛合する第２の従動ギヤと、揺動中心軸を中心として前記第１又は第２の従動ギヤ側
に揺動可能なＬ字型のピックアップアイドラアームと、該ピックアップアイドラアームの
一端に配置され、前記第１の従動ギヤに噛合可能な第１のピックアップアイドラギヤと、
前記ピックアップアイドラアームの他端に配置され、前記第２の従動ギヤに噛合可能な第
２のピックアップアイドラギヤと、前記揺動中心軸を中心として回転可能であって、前記
第１及び第２のピックアップアイドラギヤを駆動する主導ギヤとを備えた熱転写プリンタ
において、
前記ピックアップアイドラアームに突起を設け、前記ピックアップレバーに前記突起を
係止する係止部を設け、
前記係止部が前記突起を係止している状態では前記第１のピックアップアイドラギヤが
前記第１の従動ギヤに噛合し、
前記係止部が前記突起を係止していない状態で前記主導ギヤが所定方向に回転すると、
前記第２のピックアップアイドラギヤが前記第２の従動ギヤに噛合することを特徴とする
熱転写プリンタ。
【請求項３】
前記ピックアップレバーは板金であり、前記係止部は前記ピックアップレバーの一部を
切り起こして形成したことを特徴とする請求項２記載の熱転写プリンタ。
【発明の詳細な説明】
【技術分野】
【０００１】
本発明は、アイドラ機構を備えた熱転写プリンタに関するものである。
【背景技術】
【０００２】
従来、熱転写プリンタとしては昇華型やＴＡ型が知られている。そして、フルカラーの
熱転写プリンタでは、１色毎に印刷する仕様であるため、給紙した用紙を一旦逆に送り再
給紙する機構となっている。これを実現するためモータを逆回転させたりアイドラ機構を
利用したりしている。図４に一般的なアイドラ機構を備えた昇華型熱転写プリンタの部分
側面透過図を示す。なお、図面は簡略化のためギヤの歯を一点鎖線で示している。
【０００３】
昇華型熱転写プリンタ１００は、用紙トレー（不図示）を上下させるピックアップレバ
ー１１と、用紙トレー上の用紙をピックアップする給紙ローラ１２と、用紙に圧を掛けな
がら搬送するプレスローラ１３及びスパイクローラ１４と、用紙を排紙する排紙ローラ１
６とを備える。
【０００４】
また、昇華型熱転写プリンタ１００は各種モータやギヤを備える。フィードモータ３４
はフィードギヤ２０ａを駆動させる。第１のフィードギヤ２０ａと２０ｂは同軸に一体成
形されており、第１のフィードギヤ２０ｂは第２のフィードギヤ２１ａに噛合している。
第２のフィードギヤ２１ａと２１ｂは同軸に一体成形されており、第２のフィードギヤ２
１ｂはフィードローラギヤ２２に噛合している。
【０００５】
フィードローラギヤ２２はスパイクローラ１４と同軸に固定されており、スパイクロー
ラ１４と連動する。フィードローラギヤ２２は第１のピックアップギヤ２７ａに噛合して
いる。第１のピックアップギヤ２７ａと２７ｂは同軸に一体成形されており、第１のピッ
クアップギヤ２７ｂは第２のピックアップギヤ２８に噛合している。
【０００６】
第２のピックアップギヤ２８は第１及び第２のピックアップアイドラギヤ２９ａ、２９
ｂに噛合している。これらのピックアップアイドラギヤ２９ａ、２９ｂはＬ字型のピック
アップアイドラアーム３０で第２のピックアップギヤ２８に接続されている。第１のピッ
クアップアイドラギヤ２９ａはピックアップアイドラアーム３０の首振りによりピックア
ップローラギヤ３１に噛合する。ピックアップローラギヤ３１は給紙ローラ１２と同軸に
固定されており、給紙ローラ１２と連動する。一方、第２のピックアップアイドラギヤ２
９ｂはピックアップアイドラアーム３０の首振りにより第３のピックアップギヤ３２に噛
合する。図４では第１のピックアップアイドラギヤ２９ａがピックアップローラギヤ３１
に噛合している状態を示している。
【０００７】
第３のピックアップギヤ３２はピックアップローラギヤ３１に噛合している。またピッ
クアップローラギヤ３１はイジェクトローラギヤ３３に噛合している。イジェクトローラ
ギヤ３３は排紙ローラ１６と同軸に固定されており、排紙ローラ１６と連動する。
【０００８】
また、ピックアップギヤ２７ａと同軸にアイドラストッパ１０１が設けられる。そして
、アイドラストッパ１０１と接触するように、ピックアップアイドラアーム３０には突起
３０ｂが形成されている。図４の状態では突起３０ｂがアイドラストッパ１０１によって
上方向に付勢されているのでアイドラアーム３０の角度が固定され、第１のピックアップ
アイドラギヤ２９ａがピックアップローラギヤ３１に噛合している。
【０００９】
図５は、図４の昇華型熱転写プリンタ１０の給紙時の状態を示す部分側面透過図である
。給紙時にはピックアップレバー１１が駆動して先端部が上昇する。その先端部で用紙ト
レーが持ち上げられ、最上部の用紙が給紙ローラ１２に当たると、給紙ローラ１１の回転
により給紙される。このとき、ピックアップレバー１１の上昇により、アイドラストッパ
１０１が時計回りに回転し、突起３０ｂへの付勢が解除される。給紙時に第２のピックア
ップギヤ２８は矢印１１０に示した方向に回転しているので、アイドラアーム３０に矢印
１１０に示した方向に回転トルクがかかる。従って、アイドラアーム３０が回転し、第２
のピックアップアイドラギヤ２９ｂが第３のピックアップギヤ３２に噛合する。その結果
、第２のピックアップアイドラギヤ２９ｂは矢印１１１に示した方向に回転し、第３のピ
ックアップギヤ３２は矢印１１２に示した方向に回転し、ピックアップローラギヤ３１は
矢印１１３に示した方向に回転し、給紙ローラ１２は矢印１１４に示した方向に回転する
。
【００１０】
ところで特許文献１には、記録開始であるか終了であるかに対応して、調整機構はフィ
ード機構を給紙系又は排紙系のいずれの側で駆動するかを制御し、これによってフィード
機構を給紙及び排紙に両用する給排装置が開示されている。
【特許文献１】特開平１−２６１１３３号公報
【発明の開示】
【発明が解決しようとする課題】
【００１１】
しかしながら、図４、図５に示された昇華型熱転写プリンタ１０では、アイドラ機構の
首振り動作のためにピックアップレバー１１とアイドラストッパ１０１とが介在しており
、構成が煩雑であった。
【００１２】
また特許文献１では、調整機構はカム機構及びカム機構に結合する摺動板で構成されて
いるので、アイドラ機構とは異なる構成である。
【００１３】
本発明は、別部品を設けることなくアイドラ機構を直接ピックアップレバーで制御する
熱転写プリンタを提供することを目的とする。
【課題を解決するための手段】
【００１４】
上記目的を達成するために本発明は、用紙トレーを上下動させる板金製のピックアップ
レバーと、ピックアップローラギヤと、該ピックアップローラギヤに噛合する第３のピッ
クアップギヤ及びイジェクトローラギヤと、揺動中心軸を中心として前記ピックアップロ
ーラギヤ側又は前記第３のピックアップギヤ側に揺動可能なＬ字型のピックアップアイド
ラアームと、該ピックアップアイドラアームの一端に配置され、前記ピックアップローラ
ギヤに噛合可能な第１のピックアップアイドラギヤと、前記ピックアップアイドラアーム
の他端に配置され、前記第３のピックアップギヤに噛合可能な第２のピックアップアイド
ラギヤと、前記揺動中心軸を中心として回転可能であって、前記第１及び第２のピックア
ップアイドラギヤを駆動する第２のピックアップギヤと、前記ピックアップローラギヤに
同軸に固定された給紙ローラと、前記イジェクトローラギヤに同軸に固定された排紙ロー
ラとを備えた熱転写プリンタにおいて、前記ピックアップアイドラアームに一体成形の突
起を設け、前記ピックアップレバーの一部をＬ字型に切り起こして形成した係止部を設け
、前記係止部が前記突起を係止している状態では前記第１のピックアップアイドラギヤが
前記ピックアップローラギヤに噛合し、前記係止部が前記突起を係止していない状態で前
記第２のピックアップギヤが所定方向に回転すると、前記第２のピックアップアイドラギ
ヤが前記第３のピックアップギヤに噛合することを特徴とするものである。
【００１５】
また本発明は、用紙トレーを上下動させるピックアップレバーと、第１の従動ギヤと、
該第１の従動ギヤに噛合する第２の従動ギヤと、揺動中心軸を中心として前記第１又は第
２の従動ギヤ側に揺動可能なＬ字型のピックアップアイドラアームと、該ピックアップア
イドラアームの一端に配置され、前記第１の従動ギヤに噛合可能な第１のピックアップア
イドラギヤと、前記ピックアップアイドラアームの他端に配置され、前記第２の従動ギヤ
に噛合可能な第２のピックアップアイドラギヤと、前記揺動中心軸を中心として回転可能
であって、前記第１及び第２のピックアップアイドラギヤを駆動する主導ギヤとを備えた
熱転写プリンタにおいて、前記ピックアップアイドラアームに突起を設け、前記ピックア
ップレバーに前記突起を係止する係止部を設け、前記係止部が前記突起を係止している状
態では前記第１のピックアップアイドラギヤが前記第１の従動ギヤに噛合し、前記係止部
が前記突起を係止していない状態で前記主導ギヤが所定方向に回転すると、前記第２のピ
ックアップアイドラギヤが前記第２の従動ギヤに噛合することを特徴とするものである。
【００１６】
前記ピックアップレバーは板金とし、前記係止部は前記ピックアップレバーの一部を切
り起こして形成することができる。
【発明の効果】
【００１７】
本発明によれば、給紙時にはピックアップレバーを上げて係止部が突起を係止しない状
態にし、一方、再給紙時にはピックアップレバーを下げて係止部が突起を係止することに
より、ピックアップアイドラアームの首振りを制御できる。ピックアップレバーに設けら
れた係止部で直接ピックアップアイドラアームの突起を操作しているので、従来のように
アイドラストッパを設ける必要がない分だけ構成が簡単になり不具合が生じる可能性が低
下するとともに製造コストも削減できる。
【発明を実施するための最良の形態】
【００１８】
以下、熱転写プリンタの１つである昇華型熱転写プリンタを例に説明する。なお、図面
は簡略化のためギヤの歯を一点鎖線で示している。図１は、アイドラ機構を備えた昇華型
熱転写プリンタ１０の側面透過図である。昇華型熱転写プリンタ１０は、用紙トレー（図
２参照）を上下させるピックアップレバー１１と、用紙トレー上の用紙をピックアップす
る給紙ローラ１２と、用紙に圧を掛けながら搬送するプレスローラ１３及びスパイクロー
ラ１４と、ヘッド（不図示）が当たるプラテンローラ１５と、用紙を排紙する排紙ローラ
１６とを備える。
【００１９】
また、昇華型熱転写プリンタ１０は各種モータやギヤを備える。モードモータ１７は給
紙・排紙のモードを切り替えるためにモードギヤ１８ａを駆動させる。モードギヤ１８ａ
と１８ｂは同軸に一体成形されており、モードギヤ１８ｂはカムギヤ１９に噛合している
。
【００２０】
フィードモータ３４は第１のフィードギヤ２０ａを駆動させる。第１のフィードギヤ２
０ａと２０ｂは同軸に一体成形されており、第１のフィードギヤ２０ｂは第２のフィード
ギヤ２１ａに噛合している。第２のフィードギヤ２１ａと２１ｂは同軸に一体成形されて
おり、第２のフィードギヤ２１ｂはフィードローラギヤ（主導ギヤ）２２に噛合している
。
【００２１】
フィードローラギヤ２２はスパイクローラ１４と同軸に固定されており、スパイクロー
ラ１４と連動する。またフィードローラギヤ２２はアイドラギヤ２３ａに噛合している。
このアイドラギヤ２３ａはＬ字型のアイドラアーム２４でフィードローラギヤ２２と接続
されている。アイドラギヤ２３ａと２３ｂは同軸に一体成形されており、アイドラギヤ２
３ｂはクラッチギヤ２５又はカムギヤ１９に噛合する。図１ではアイドラギヤ２３ｂがク
ラッチギヤ２５に噛合している状態を示している。
【００２２】
またフィードローラギヤ２２は第１のピックアップギヤ２７ａに噛合している。第１の
ピックアップギヤ２７ａと２７ｂは同軸に一体成形されており、第１のピックアップギヤ
２７ｂは第２のピックアップギヤ（主導ギヤ）２８に噛合している。
【００２３】
第２のピックアップギヤ２８は第１及び第２のピックアップアイドラギヤ２９ａ、２９
ｂに噛合している。これらのピックアップアイドラギヤ２９ａ、２９ｂはＬ字型のピック
アップアイドラアーム３０で第２のピックアップギヤ２８に接続されている。ピックアッ
プアイドラアーム３０には突起３０ａが一体成形されている。この突起３０ａがピックア
ップレバー１１の一部をＬ字型に切り起こして形成した係止部１１ａで係止された場合、
ピックアップアイドラアーム３０が固定される。ピックアップレバー１１は板金で作製さ
れるので係止部１１ａを容易に形成することができる。
【００２４】
第１のピックアップアイドラギヤ２９ａはピックアップアイドラアーム３０の首振りに
よりピックアップローラギヤ３１に噛合する。ピックアップローラギヤ３１は給紙ローラ
１２と同軸に固定されており、給紙ローラ１２と連動する。一方、第２のピックアップア
イドラギヤ２９ｂはピックアップアイドラアーム３０の首振りにより第３のピックアップ
ギヤ（第２の従動ギヤ）３２に噛合する。図１では第１のピックアップアイドラギヤ２９
ａがピックアップローラギヤ３１に噛合している状態を示している。
【００２５】
第３のピックアップギヤ３２はピックアップローラギヤ（第１の従動ギヤ）３１に噛合
している。またピックアップローラギヤ３１はイジェクトローラギヤ３３に噛合している
。イジェクトローラギヤ３３は排紙ローラ１６と同軸に固定されており、排紙ローラ１６
と連動する。
【００２６】
次に、ピックアップアイドラの機構について説明する。図２は給紙時のピックアップア
イドラ周辺の側面図であり、図３は再給紙時のピックアップアイドラ周辺の側面図である
。
【００２７】
給紙時には、カムギヤ１９の回転により、図１の状態から図２の状態へピックアップレ
バー１１が駆動する。このピックアップレバー１１の先端付近の上側に用紙トレー３５が
重なっているので、ピックアップレバー１１の先端部で用紙トレー３５が持ち上げられる
。そして、用紙トレー３５に積載されている最上面の用紙が給紙ローラ１２に接触する。
これによって、最上面の用紙が給紙ローラ１２の回転により給紙される。
【００２８】
この給紙時に給紙ローラ１２を給紙方向に回転させるために、各部は次のように動作す
る。まず、フィードモータ３４が第１のフィードギヤ２０ａを駆動させる。それによって
、第１のフィードギヤ２０ｂ、第２のフィードギヤ２１ａ、２１ｂ、フィードローラギヤ
２２が回転する。ここで、フィードローラギヤ２２が矢印４０に示した方向に回転するよ
うにフィードモータ３４の回転方向を制御する。これに従動して、第１のピックアップギ
ヤ２７ａ、２７ｂが矢印４１に示した方向に、第２のピックアップギヤ２８が矢印４２に
示した方向に回転する。
【００２９】
図２のようにピックアップレバー１１が上がっている状態では、係止部１１ａから突起
３０ａが解放されるので、ピックアップアイドラアーム３０は首振り可能な状態となる。
従って、ピックアップアイドラアーム３０は揺動中心軸のある第２のピックアップギヤ２
８の回転方向に回転トルクを得る。今、第２のピックアップギヤ２８は矢印４２に示した
方向に回転しているので、ピックアップアイドラアーム３０も同方向に回転する。これに
よって、第２のピックアップアイドラギヤ２９ｂが第３のピックアップギヤ３２に噛合す
る。そうすると、矢印４２に示した方向に回転している第２のピックアップギヤ２８に従
動して、第２のピックアップアイドラギヤ２９ｂが矢印４３に示した方向に、第３のピッ
クアップギヤ３２が矢印４４に示した方向に、ピックアップローラギヤ３１が矢印４５に
示した方向に回転する。その結果、ピックアップローラギヤ３１と同軸に固定されている
給紙ローラ１２は矢印４５に示した方向、つまり給紙方向に回転する。
【００３０】
また、排紙ローラ１６を排紙時の逆に回転させる再給紙時に給紙ローラ１２を給紙方向
に回転させるために、各部は次のように動作する。まず、フィードモータ３４が第１のフ
ィードギヤ２０ａを駆動させる。それによって、第１のフィードギヤ２０ｂ、第２のフィ
ードギヤ２１ａ、２１ｂ、フィードローラギヤ２２が回転する。ここで、フィードローラ
ギヤ２２が給紙時と同じ矢印４０に示した方向に回転するようにフィードモータ３４の回
転方向を制御する。再給紙時もプレスローラ１３とスパイクローラ１４を給紙方向に回転
させるためである。これに従動して、第１のピックアップギヤ２７ａ、２７ｂが矢印４１
に示した方向に、第２のピックアップギヤ２８が矢印４２に示した方向に回転する。
【００３１】
図３のようにピックアップレバー１１が下がっている状態では、係止部１１ａが突起３
０ａを係止しているので、ピックアップアイドラアーム３０は固定される。従って、第２
のピックアップギヤ２８の回転方向に関係なく第２のピックアップアイドラギヤ２９ｂは
第３のピックアップギヤ３２と離間し、第１のピックアップアイドラギヤ２９ａはピック
アップローラギヤ３１と噛合する。そうすると、矢印４２に示した方向に回転している第
２のピックアップギヤ２８に従動して、第１のピックアップアイドラギヤ２９ａが矢印４
６に示した方向に、ピックアップローラギヤ３１が矢印４７に示した方向に、イジェクト
ローラギヤ３３が矢印４８に示した方向に回転する。その結果、イジェクトローラギヤ３
３と同軸に固定されている排紙ローラ１６は矢印４８に示した方向、つまり再給紙方向に
回転する。
【００３２】
このように、給紙時にはピックアップレバー１１を上げて係止部１１ａが突起３０ａを
係止しない状態にし、一方、再給紙時にはピックアップレバー１１を下げて係止部１１ａ
が突起３０ａを係止することにより、ピックアップアイドラアーム３０の首振りを制御で
きる。ピックアップレバー１１に設けられた係止部１１ａで直接ピックアップアイドラア
ーム３０の突起３０ａを操作しているので、従来のようにアイドラストッパを設ける必要
がない分だけ構成が簡単になり不具合が生じる可能性が低下するとともに製造コストも削
減できる。
【００３３】
なお排紙時は、図３のように第１のピックアップアイドラギヤ２９ａがピックアップロ
ーラギヤ３１と噛合した状態で、フィードモータ３４を給紙時と逆に回転させることによ
り、プレスローラ１３とスパイクローラ１４と排紙ローラ１６とが排紙方向に回転する。
【産業上の利用可能性】
【００３４】
本発明は、昇華型やＴＡ型の熱転写プリンタに利用することができる。
【図面の簡単な説明】
【００３５】
【図１】本発明のアイドラ機構を備えた昇華型熱転写プリンタの側面透過図である。
【図２】本発明の給紙時のピックアップアイドラ周辺の側面図である。
【図３】本発明の再給紙時のピックアップアイドラ周辺の側面図である。
【図４】従来のアイドラ機構を備えた昇華型熱転写プリンタの部分側面透過図である。
【図５】図４の昇華型熱転写プリンタの給紙時の状態を示す部分側面透過図である。
【符号の説明】
【００３６】
１０    昇華型熱転写プリンタ
１１    ピックアップレバー
１１ａ  係止部
１２    給紙ローラ
１６    排紙ローラ
２８    第２のピックアップギヤ
２９ａ  第１のピックアップアイドラギヤ
２９ｂ  第２のピックアップアイドラギヤ
３０    ピックアップアイドラアーム
３０ａ  突起
３１    ピックアップローラギヤ
３２    第３のピックアップギヤ
３３    イジェクトローラギヤ
３５    用紙トレー
【図１】
2005314043.tif 000003
【図２】
2005314043.tif 000004
【図３】
2005314043.tif 000005
【図４】
2005314043.tif 000006
【図５】
2005314043.tif 000007